(57)【要約】【課題】経路案内による目的地を明確に認知させるための方法およびそのシステムを開示する。【解決手段】位置基盤サービスでの目的地情報提供方法は、ユーザの位置情報がマッピング（ｍａｐｐｉｎｇ）された地図画面を利用した経路案内時に、ユーザによって指定された目的地に接近したかどうかを判断し、目的地へ接近したときに、目的地についての視覚的認知機能（ｖｉｓｕａｌ  ｎｏｔｉｆｉｃａｔｉｏｎ  ｆｕｎｃｔｉｏｎ）を活性化させることを含んでもよい。【選択図】図２
2015068828.tif 000002
【特許請求の範囲】
【請求項１】
ユーザの位置情報がマッピング（ｍａｐｐｉｎｇ）された地図画面を利用した経路案内時に、前記ユーザによって指定された目的地に接近したかどうかを判断し、
前記目的地へ接近したときに、前記目的地についての視覚的認知機能（ｖｉｓｕａｌ  ｎｏｔｉｆｉｃａｔｉｏｎ  ｆｕｎｃｔｉｏｎ）を活性化させること
を含む、位置基盤サービスでの目的地情報提供方法。
【請求項２】
前記経路案内は、自動車、公共交通手段、自転車、徒歩のうち少なくとも１つの移動手段を利用した移動経路を案内すること
を特徴とする、請求項１に記載の位置基盤サービスでの目的地情報提供方法。
【請求項３】
前記目的地には経由地が含まれること
を特徴とする、請求項１に記載の位置基盤サービスでの目的地情報提供方法。
【請求項４】
前記目的地についての視覚的認知機能を活性化させることは、
前記ユーザの現在位置周辺の実際の距離の様子を示す距離ビュー画面を実行した後、前記距離ビュー画面上に前記目的地に該当するオブジェクト（ｏｂｊｅｃｔ）を強調して表示することを含むこと
を特徴とする、請求項１に記載の位置基盤サービスでの目的地情報提供方法。
【請求項５】
前記目的地についての視覚的認知機能を活性化させることは、
前記距離ビュー画面上で前記目的地に該当するオブジェクトを他のオブジェクトとは差別された色または図形で表示することを含むこと
を特徴とする、請求項４に記載の位置基盤サービスでの目的地情報提供方法。
【請求項６】
前記目的地についての視覚的認知機能を活性化させることは、
前記距離ビュー画面上で前記目的地に該当するオブジェクトの境界（ｅｄｇｅ）をボールド（ｂｏｌｄ）処理することを含むこと
を特徴とする、請求項４に記載の位置基盤サービスでの目的地情報提供方法。
【請求項７】
前記目的地についての視覚的認知機能を活性化させることは、
前記距離ビュー画面上で前記目的地に該当するオブジェクトに指示手段（ｉｎｄｉｃａｔｏｒ）を表示することを含むこと
を特徴とする、請求項４に記載の位置基盤サービスでの目的地情報提供方法。
【請求項８】
前記目的地についての視覚的認知機能を活性化させることは、
前記距離ビュー画面上で前記目的地に該当するオブジェクトに、前記目的地を説明する関連テキストと共に指示手段（ｉｎｄｉｃａｔｏｒ）を表示することを含むこと
を特徴とする、請求項４に記載の位置基盤サービスでの目的地情報提供方法。
【請求項９】
前記オブジェクトは、独立した建物、集合建物内の特定位置、車道、歩道、または登山路を含むこと
を特徴とする、請求項４に記載の位置基盤サービスでの目的地情報提供方法。
【請求項１０】
前記目的地についての視覚的認知機能を活性化させることは、
前記目的地を拡大した写真を表示することを含むこと
を特徴とする、請求項１に記載の位置基盤サービスでの目的地情報提供方法。
【請求項１１】
前記目的地についての視覚的認知機能を活性化させることは、
前記目的地の実際の写真またはベクトルレンダリング（ｖｅｃｔｏｒ  ｒｅｎｄｅｒｉｎｇ）方式によって実現された３Ｄ地図を表示することを含むこと
を特徴とする、請求項１に記載の位置基盤サービスでの目的地情報提供方法。
【請求項１２】
前記目的地についての視覚的認知機能を活性化させることは、
前記目的地についての経路案内が完了した時点で前記視覚的認知機能を活性化させることを含むこと
を特徴とする、請求項１に記載の位置基盤サービスでの目的地情報提供方法。
【請求項１３】
ユーザの位置情報がマッピング（ｍａｐｐｉｎｇ）された地図画面を利用した経路案内時に、前記ユーザによって指定された目的地に接近したかどうかを判断する判断部、および
前記目的地へ接近したときに、前記目的地についての視覚的認知機能（ｖｉｓｕａｌ  ｎｏｔｉｆｉｃａｔｉｏｎ  ｆｕｎｃｔｉｏｎ）を活性化させる処理部
を備える、位置基盤サービスでの目的地情報提供システム。
【請求項１４】
前記経路案内は、自動車、公共交通手段、自転車、徒歩のうち少なくとも１つの移動手段を利用した移動経路を案内すること
を特徴とする、請求項１３に記載の位置基盤サービスでの目的地情報提供システム。
【請求項１５】
前記目的地には経由地が含まれること
を特徴とする、請求項１３に記載の位置基盤サービスでの目的地情報提供システム。
【請求項１６】
前記処理部は、
前記ユーザの現在位置周辺の実際の距離の様子を示す距離ビュー画面を実行した後、前記距離ビュー画面上に前記目的地に該当するオブジェクト（ｏｂｊｅｃｔ）を強調して表示すること
を特徴とする、請求項１３に記載の位置基盤サービスでの目的地情報提供システム。
【請求項１７】
前記処理部は、
前記目的地を拡大した写真を表示すること
を特徴とする、請求項１３に記載の位置基盤サービスでの目的地情報提供システム。
【請求項１８】
前記処理部は、
前記目的地の実際の写真またはベクトルレンダリング（ｖｅｃｔｏｒ  ｒｅｎｄｅｒｉｎｇ）方式によって実現された３Ｄ地図を表示すること
を特徴とする、請求項１３に記載の位置基盤サービスでの目的地情報提供システム。
【請求項１９】
前記処理部は、
前記目的地についての経路案内が完了した時点に前記視覚的認知機能を活性化させること
を特徴とする、請求項１３に記載の位置基盤サービスでの目的地情報提供システム。
【請求項２０】
位置基盤サービスで目的地情報を提供するようにコンピュータシステムを制御する命令（ｉｎｓｔｒｕｃｔｉｏｎ）を含むコンピュータで読み取り可能な記録媒体であって、
前記命令は、
ユーザの位置情報がマッピング（ｍａｐｐｉｎｇ）された地図画面を利用した経路案内時に、前記ユーザによって指定された目的地に接近したかどうかを判断し、
前記目的地へ接近したときに、前記目的地についての視覚的認知機能（ｖｉｓｕａｌ  ｎｏｔｉｆｉｃａｔｉｏｎ  ｆｕｎｃｔｉｏｎ）を活性化させること
を含む方法によって前記コンピュータシステムを制御する、コンピュータで読み取り可能な記録媒体。
【請求項２１】
位置基盤サービスで目的地情報を提供するためにユーザ端末にインストールされるアプリケーションのファイルを配布するファイル配布システムであって、
前記ユーザ端末の要請に応じて前記ファイルを送信するファイル送信部
を備え、
前記アプリケーションは、
ユーザの位置情報がマッピング（ｍａｐｐｉｎｇ）された地図画面を利用した経路案内時に、前記ユーザによって指定された目的地に接近したかどうかを判断するように前記ユーザ端末を制御するモジュール、および
前記目的地へ接近したときに、前記目的地についての視覚的認知機能（ｖｉｓｕａｌ  ｎｏｔｉｆｉｃａｔｉｏｎ  ｆｕｎｃｔｉｏｎ）を活性化させるように前記ユーザ端末を制御するモジュール
を備える、ファイル配布システム。
【請求項２２】
コンピュータを、ユーザの位置情報がマッピング（ｍａｐｐｉｎｇ）された地図画面を利用した経路案内時に、前記ユーザによって指定された目的地に接近したかどうかを判断する判断部、および前記目的地へ接近したときに、前記目的地についての視覚的認知機能（ｖｉｓｕａｌ  ｎｏｔｉｆｉｃａｔｉｏｎ  ｆｕｎｃｔｉｏｎ）を活性化させる処理部として機能させるためのプログラム。
【発明の詳細な説明】
【技術分野】
【０００１】
本発明は、経路案内サービスで目的地を認知させるための技術に関する。
【背景技術】
【０００２】
最近では衛星位置確認システム（ＧＰＳ：Ｇｌｏｂａｌ  Ｐｏｓｉｔｉｏｎｉｎｇ  Ｓｙｓｔｅｍ）技術や地理情報システム（Ｇｅｏｇｒａｐｈｉｃａｌ  Ｉｎｆｏｒｍａｔｉｏｎ  Ｓｙｓｔｅｍ）技術の発展に伴い、位置確認サービス、道探し／道案内サービス、地域検索サービスなどの多様な位置基盤サービス（Ｌｏｃａｔｉｏｎ  Ｂａｓｅｄ  Ｓｅｒｖｉｃｅ）を利用することにより、いつでもどこでも人の位置や周辺情報を把握したり、目的地への移動経路情報の提供を受けることができる。
【０００３】
そのうち道案内サービスは、ナビゲーション（ｎａｖｉｇａｔｉｏｎ）端末やスマートフォンなどのモバイル端末を利用して端末の現在位置を認識し、これを地図上にマッピングしながら目的地までの移動経路と付加情報を提供するサービスである。また、道探しサービスは、ユーザが入力した出発地、経由地、目的地を基準として経路を知らせるサービスであって、ユーザが位置情報の使用を許容した状態では地図上でユーザの現在位置が更新され続けることから、道案内の役割も行う。
【０００４】
現在位置を認識する方法としては、屋外の場合にはＧＰＳ（ｇｌｏｂａｌ  ｐｏｓｉｔｉｏｎｉｎｇ  ｓｙｓｔｅｍ）を常用し、移動通信網の基地局信号を利用して現在位置を算出する方法、ＷｉＦｉ基地局信号を利用して現在位置を算出する方法、位置情報サーバ（ＬＢＳ）に位置情報を要請して端末の現在位置を受信する方法などがある。一方、屋内の場合にはＡＰ（ａｃｃｅｓｓ  ｐｏｉｎｔ）情報を使用して現在位置を算出する方法が主に使われているが、これはＩＰＳ（ｉｎｄｏｏｒ  ｐｏｓｉｔｉｏｎｉｎｇ  ｓｙｓｔｅｍ）という名称で関連研究や活用が増加している。
【０００５】
このような位置基盤サービスは、ユーザが指定した目的地付近までの経路案内は可能であるが、目的地に到着したときに目的地を明確に認知させる機能は別途の方法で実現しなければならない。
【０００６】
例えば、韓国登録特許第１０−０７２６６２３号では、ユーザが設定された目的地に該当する移動通信網の基地局領域に接近すると、ユーザに目的地到着アラームを提供する技術が開示されている。
【先行技術文献】
【特許文献】
【０００７】
【特許文献１】韓国登録特許第１０−０７２６６２３号
【０００８】
しかし、既存の位置基盤サービスは、目的地付近に到達すると、単純な案内メッセージ（例えば、「目的地周辺に到着しました」のようなアナウンスなど）のみを出力して案内を終了するため、駅周辺、商店街、多車線道路の傍ら、路地裏、登山路などのようにユーザの位置情報だけでは目的地を判断し難い場合には、ユーザは目的地周辺に到着しているにもかかわらず、周りを右往左往して迷いながら目的地を探さなければならない不便さがある。
【発明の概要】
【発明が解決しようとする課題】
【０００９】
本発明は、上述した問題点を解決するために案出されたものであって、位置基盤サービスにおいて目的地周辺への到着時に、目的地に関する情報を活用してユーザに目的地を明確に認知させる機能を提供することを目的とする。
【課題を解決するための手段】
【００１０】
本発明の一実施形態によると、位置基盤サービスでの目的地情報提供方法は、ユーザの位置情報がマッピング（ｍａｐｐｉｎｇ）された地図画面を利用した経路案内時に、ユーザによって指定された目的地に接近したかどうかを判断し、目的地へ接近したときに、目的地についての視覚的認知機能（ｖｉｓｕａｌ  ｎｏｔｉｆｉｃａｔｉｏｎ  ｆｕｎｃｔｉｏｎ）を活性化させることを含んでもよい。
【００１１】
一実施形態によると、経路案内は、自動車、公共交通手段、自転車、徒歩のうち少なくとも１つの移動手段を利用した移動経路を案内するものであってもよい。
【００１２】
他の一実施形態によると、目的地には経由地が含まれてもよい。
【００１３】
さらに他の一実施形態によると、目的地についての視覚的認知機能を活性化させることは、ユーザの現在位置周辺の実際の距離の様子を示す距離ビュー画面を実行した後、距離ビュー画面上に目的地に該当するオブジェクト（ｏｂｊｅｃｔ）を強調して表示してもよい。
【００１４】
さらに他の一実施形態によると、目的地についての視覚的認知機能を活性化させることは、距離ビュー画面上で目的地に該当するオブジェクトを他のオブジェクトとは差別された色または図形で表示してもよい。
【００１５】
さらに他の一実施形態によると、目的地についての視覚的認知機能を活性化させることは、距離ビュー画面上で目的地に該当するオブジェクトの境界（ｅｄｇｅ）をボールド（ｂｏｌｄ）処理してもよい。
【００１６】
さらに他の一実施形態によると、目的地についての視覚的認知機能を活性化させることは、距離ビュー画面上で目的地に該当するオブジェクトに指示手段（ｉｎｄｉｃａｔｏｒ）を表示してもよい。
【００１７】
さらに他の一実施形態によると、目的地についての視覚的認知機能を活性化させることは、距離ビュー画面上で目的地に該当するオブジェクトに、目的地を説明する関連テキストと共に指示手段（ｉｎｄｉｃａｔｏｒ）を表示してもよい。
【００１８】
さらに他の一実施形態によると、オブジェクトは、独立した建物、集合建物内の特定位置、車道、歩道、または登山路を含んでもよい。
【００１９】
さらに他の一実施形態によると、目的地についての視覚的認知機能を活性化させることは、目的地を拡大した写真を表示してもよい。
【００２０】
さらに他の一実施形態によると、目的地についての視覚的認知機能を活性化させることは、目的地の実際写真またはベクトルレンダリング（ｖｅｃｔｏｒ  ｒｅｎｄｅｒｉｎｇ）方式によって実現された３Ｄ地図を表示してもよい。
【００２１】
さらに他の一実施形態によると、目的地についての視覚的認知機能を活性化させることは、目的地についての経路案内が完了した時点で視覚的認知機能を活性化してもよい。
【００２２】
本発明の一実施形態によると、位置基盤サービスにおける目的地情報提供システムは、ユーザの位置情報がマッピング（ｍａｐｐｉｎｇ）された地図画面を利用した経路案内時に、ユーザによって指定された目的地に接近したかどうかを判断する判断部、および目的地へ接近したときに、目的地についての視覚的認知機能（ｖｉｓｕａｌ  ｎｏｔｉｆｉｃａｔｉｏｎ  ｆｕｎｃｔｉｏｎ）を活性化させる処理部を含んでもよい。
【発明の効果】
【００２３】
本発明によると、位置基盤サービスで目的地周辺に到着したときに、目的地についての情報を活用してユーザに目的地を明確に認知させることにより、経路案内サービスの品質と満足度を向上させることができる。
【図面の簡単な説明】
【００２４】
【図１】本発明の一実施形態において、モバイル機器と目的地情報提供システムとの関係を概括的に説明するための図である。
【図２】本発明の一実施形態において、目的地を正確に認知させるための目的地情報提供方法を示したフローチャートである。
【図３】本発明の一実施形態において、目的地についての視覚的認知機能が活性化された例を示した図である。
【図４】本発明の一実施形態において、目的地についての視覚的認知機能が活性化された例を示した図である。
【図５】本発明の一実施形態において、目的地についての視覚的認知機能が活性化された例を示した図である。
【図６】本発明の一実施形態において、目的地についての視覚的認知機能が活性化された例を示した図である。
【図７】本発明の一実施形態において、目的地についての視覚的認知機能が活性化された例を示した図である。
【図８】本発明の一実施形態において、目的地を正確に認知させるための目的地情報提供システムの内部構成を示したブロック図である。
【発明を実施するための形態】
【００２５】
以下、本発明の実施形態について、添付の図面を参照しながら詳細に説明する。
【００２６】
本実施形態は、位置基盤サービスで目的地周辺に到着したときに、目的地に関する情報を利用してユーザに目的地を明確に認知させる技術に関するが、これは衛星位置確認システム（ＧＰＳ：Ｇｌｏｂａｌ  Ｐｏｓｉｔｉｏｎｉｎｇ  Ｓｙｓｔｅｍ）および／または地理情報システム（ＧＩＳ：Ｇｅｏｇｒａｐｈｉｃａｌ  Ｉｎｆｏｒｍａｔｉｏｎ  Ｓｙｓｔｅｍ）と連携した位置確認サービス、道探し／道案内サービス、地域検索サービスなどの多様な位置基盤サービス（ＬＢＳ：Ｌｏｃａｔｉｏｎ  Ｂａｓｅｄ  Ｓｅｒｖｉｃｅ）に適用されてもよく、特に、車両用ナビゲーションサービスであるＣＮＳ（ｃａｒ  ｎａｖｉｇａｔｉｏｎ  ｓｙｓｔｅｍ）はもちろん、歩行者用ナビゲーションサービスであるＰＮＳ（Ｐｅｒｓｏｎａｌ  ｎａｖｉｇａｔｉｏｎ  ｓｙｓｔｅｍ）に適用されてもよい。
【００２７】
図１は、本発明の一実施形態において、モバイル機器と目的地情報提供システムとの関係を概括的に説明するための図である。図１は、モバイル機器１０１と目的地情報提供システム１００を示している。図１で矢印は、モバイル機器１０１と目的地情報提供システム１００との間で無線ネットワークを利用してデータが送受信されることを意味する。
【００２８】
目的地情報提供システム１００は、クライアント（ｃｌｉｅｎｔ）であるモバイル機器１０１を対象として位置基盤サービスを提供するプラットホームの役割をなすが、特に、モバイル基盤のサービスプラットホームを利用してモバイルウェブまたはモバイルアプリ（アプリケーション）環境で位置基盤サービスを提供し、位置基盤サービスが利用される場合、目的地周辺に到着したときに目的地を明確に認知させるための機能を提供する。
【００２９】
モバイル機器１０１とは、スマートフォン（ｓｍａｒｔ  ｐｈｏｎｅ）、タブレット（ｔａｂｌｅｔ）、ノートパソコン（ｌａｐｔｏｐ  ｃｏｍｐｕｔｅｒ）、デジタル放送用端末機（ＤＭＢ）、ＰＭＰ（Ｐｏｒｔａｂｌｅ  Ｍｕｌｔｉｍｅｄｉａ  Ｐｌａｙｅｒ）、ナビゲーション（ｎａｖｉｇａｔｉｏｎ）端末など、モバイルウェブまたはモバイルアプリを利用して目的地情報提供システム１００にアクセス可能なすべての端末装置を意味してもよい。このとき、モバイル機器１０１は、モバイルウェブ／アプリの制御下に、サービス画面の構成、データ入力、データ送受信、データ格納などのサービス全般の動作を実行してもよい。
【００３０】
このようなモバイル機器１０１によって位置基盤サービスを利用するとき、ユーザが目的地周辺に到着しても、駅周辺、商店街、多車線道路の傍ら、複数に分岐している歩道や登山路などのように目的地をすぐに探し出すのが困難な場合には、目的地を正確に認知させるための機能が必要となる。
【００３１】
本発明に係る位置基盤サービスの目的地を明確に認知させる機能は、自動車、公共交通手段（地下鉄、バスなど）、自転車、徒歩のような移動手段を利用して移動しようとするユーザを対象に提供されてもよい。
【００３２】
本明細書において、位置基盤サービスにおける経路案内とは、ユーザによって指定された目的地への、自動車、公共交通手段、自転車、徒歩のうち少なくとも１つの移動手段を利用した移動経路を案内することを意味してもよい。これには、１つの移動手段を独立的に利用して移動する場合はもちろん、２つ以上の移動手段（例えば、徒歩＋公共交通手段、自転車＋徒歩）を複合的に利用して移動する場合が含まれてもよい。さらに、経路案内とは、屋外の地理についての移動経路を案内する以外にも、ＩＰＳ（ｉｎｄｏｏｒ  ｐｏｓｉｔｉｏｎｉｎｇ  ｓｙｓｔｅｍ）に基づいて屋内の地理についての移動経路を案内することをも包括して意味してもよい。
【００３３】
特に、本明細書において、目的地とは、最終目的地を意味してもよく、さらに最終目的地の前に経由する由地のような中間目的地を包括して意味してもよい。すなわち、本発明では、最終目的地だけではなく経由地についても、該当する地点を正確に認知させるための機能を同じ方式によって提供してもよい。
【００３４】
図２は、本発明の一実施形態において、目的地を正確に認知させるための目的地情報提供方法を示したフローチャートである。一実施形態に係る目的地情報提供方法は、図１と図８を参照しながら説明する目的地情報提供システムによってそれぞれのステップが実行されてもよい。
【００３５】
ステップＳ２１０で、目的地情報提供システムは、ユーザの位置情報に基づき、ユーザによって指定された目的地に接近したかどうかを判断してもよい。このとき、目的地情報提供システムは、モバイル機器によって位置基盤サービスを利用するユーザを対象に、ユーザの位置情報（すなわち、モバイル機器の現在位置）がマッピングされた地図画面を利用した経路案内時にユーザが目的地周辺に到着したか否かを判断してもよい。
【００３６】
ステップＳ２２０で、目的地情報提供システムは、目的地に接近したときに、目的地についての視覚的認知機能を活性化してもよい。このとき、目的地情報提供システムは、モバイル機器の現在位置周辺の映像情報（距離ビュー、写真など）と地図を利用した視覚的認知機能によってユーザが目的地を正確に認知できるように支援してもよい。特に、目的地情報提供システムは、中間経由地について段階的に経路案内を完了する時点や最終の目的地に接近して経路案内を完了する時点で視覚的認知機能を活性化させてもよい。
【００３７】
一例として、目的地情報提供システムは、ユーザの現在位置周辺の実際の距離の様子を示す距離ビュー（屋内の場合は、屋内の実際の様子を示す屋内ビュー）画面を実行した後、距離ビュー（または屋内ビュー）画面上に目的地に該当するオブジェクトを強調（ｈｉｇｈｌｉｇｈｔｉｎｇ）して表示してもよい。図３に示すように、目的地情報提供システムは、ユーザの位置情報がマッピングされた地図画面３１０を利用して目的地までの移動経路を案内した後、ユーザが目的地周辺に到着すると、距離ビュー画面３２０によって色、図形、テキストなどを利用した視覚化方法で目的地を強調し、周辺施設とは差別化された形態で示してもよい。このとき、距離ビュー画面３２０は、地図画面３１０で画面転換によって表示されてもよく、画面分割によって地図画面３１０と共に表示されてもよい。本発明において、オブジェクトとは、独立した建物、集合建物内の特定の位置、車道、歩道、または登山路のように、目的地として指定可能なすべてのＰＯＩ（Ｐｏｉｎｔ  ｏｆ  ｉｎｔｅｒｅｓｔ）を意味してもよい。
【００３８】
例えば、距離ビューを利用した目的地認知機能は、（１）図３に示すように、距離ビュー３２０上で周辺施設とは異なるように目的地に該当するオブジェクト３２１の境界を鮮明にボールド（ｂｏｌｄ）処理して表示する方式、（２）図４に示すように、距離ビュー４２０上で目的地に該当するオブジェクト４２１を周辺施設とは差別された異なる色のカラーまたは異なる形態の図形で表示する方式、（３）図５に示すように、距離ビュー５２０上で目的地に該当するオブジェクト５２１を直接に指示したり、あるいはユーザの現在位置から目的地への方向、駐車場の入口方向などを指示したりするための指示手段（例えば、矢印など）（５２１−ａ）を表示する方式、または目的地に該当するオブジェクト５２１に目的地を説明する関連テキスト（例えば、名称、代表関心地点（ＰＯＩ：Ｐｏｉｎｔ  ｏｆ  Ｉｎｔｅｒｅｓｔ）など）（５２１−ｂ）と共に指示手段（５２１−ａ）を表示する方式などによって実現されてもよい。
【００３９】
他の例として、目的地情報提供システムは、ユーザが目的地周辺に到着すると、目的地が拡大された写真を表示してもよい。例えば、図６に示すように、経路案内のための画面６１０上に、目的地に該当するオブジェクト６２１を拡大した写真をポップアップ画面６２０でオーバラップさせて示してもよい。
【００４０】
さらに他の例として、目的地情報提供システムは、ユーザが目的地周辺に到着すると、目的地についての３Ｄ地図を利用して該当の目的地を正確に指定して示してもよい。このとき、３Ｄ地図は、実査によって実現された地図とベクトルレンダリング方式によって実現された３Ｄ地図を含んでもよい。経路案内のための画面が２Ｄ地図である場合には、目的地に接近したときにユーザが目的地をより直観的に認知できるように、目的地周辺についての３Ｄ地図を提供してもよい。例えば、図７に示すように、経路案内のための画面７１０上に目的地の実査をポップアップ画面７２０でオーバラップさせて示してもよい。
【００４１】
上述した目的地情報提供方法によると、位置基盤サービスで目的地に接近したときに、ユーザが目的地を明確に認知できるように目的地についての視覚的認知機能を提供することができる。
【００４２】
本発明に係る目的地認知機能は、移動が可能な手段を利用するすべての位置基盤サービスで適用することができるため、多様な状況で活用できるという長所がある。また、目的地認知機能は、映像情報や地図などを利用してオブジェクトを認知する方式であるため、目的地を連続的な行為の一地点として活用する場合には自分の位置送信のような状況に活用が可能となり、トレッキング（ｔｒｅｋｋｉｎｇ）やジオキャッシング（ｇｅｏｃａｃｈｉｎｇ）などのようなレジャー活動の地点共有や記録などにも活用することができる。
【００４３】
本発明の実施形態に係る方法は、多様なコンピュータシステムによって実行が可能なプログラム命令（ｉｎｓｔｒｕｃｔｉｏｎ）形態で実現されてコンピュータで読み取り可能な記録媒体に記録されてもよい。特に、本実施形態では、ユーザの位置情報がマッピングされた地図画面を利用した経路案内時に、ユーザによって指定された目的地に接近したかどうかを判断し、目的地へ接近したときに、目的地についての視覚的認知機能を活性化させることを含むプログラムが記録されるコンピュータで読み取り可能な記録媒体を含んでもよい。
【００４４】
本実施形態に係るプログラムは、ＰＣ基盤のプログラムまたはモバイル端末専用のアプリケーションで構成されてもよい。本実施形態における入力画面制御のためのアプリは、独立的に作動するプログラム形態で実現されてもよく、あるいは特定のアプリケーション（例えば、道探しプログラムなど）のイン−アプリ（ｉｎ−ａｐｐ）形態で構成されて特定のアプリケーション上で作動が可能なように実現されてもよい。
【００４５】
また、本実施形態に係る目的地情報提供方法は、サーバシステム（位置基盤サービスサーバ）と関連するモバイルアプリによりユーザ端末機を制御して実行されてもよい。例えば、このようなアプリケーションは、上述した目的地情報提供方法が含むステップをユーザ端末機が実行するように制御するためのモジュールを備えてもよい。一例として、このようなアプリケーションは、ユーザの位置情報がマッピングされた地図画面を利用した経路案内時に、ユーザによって指定された目的地に接近したかどうかを判断するようにユーザ端末を制御するモジュール、および目的地へ接近したときに、目的地についての視覚的認知機能を活性化させるようにユーザ端末を制御するモジュールを備えてもよい。また、このようなアプリケーションは、ファイル配布システムが提供するファイルを利用してユーザ端末機にインストールされてもよい。一例として、ファイル配布システムは、ユーザ端末機の要請に応じてファイルを送信するファイル送信部（図示せず）を備えてもよい。
【００４６】
図８は、本発明の一実施形態において、目的地を正確に認知させるための目的地情報提供システムの内部構成を示したブロック図である。図８に示すように、目的地情報提供システムは、判断部８１０と処理部８２０からなるプロセッサ８００と、メモリ８０１と、データベース８０２を備えて構成されてもよい。
【００４７】
メモリ８０１には、ユーザの位置情報がマッピングされた地図画面を利用した経路案内時に、ユーザが目的地を明確に認知できるように目的地についての視覚的認知機能を提供する命令語を含むプログラムが格納されてもよい。図１ないし図７を参照しながら説明した目的地情報提供システムで実行されるステップは、メモリ８０１に格納されたプログラムによって実行されてもよい。例えば、メモリ８０１は、ハードディスク、ＳＳＤ、ＳＤカード、およびその他の格納媒体であってもよい。
【００４８】
データベース８０２は、位置基盤サービスを提供するのに必要なすべての情報、または位置基盤サービスにおける目的地へ接近したときに目的地についての視覚的認知機能を提供するのに必要なすべての情報を格納および保持することができる格納所の役割をなしてもよい。
【００４９】
プロセッサ８００は、メモリ８０１に格納されたプログラムの命令語に応じて処理する装置であって、ＣＰＵなどのマイクロプロセッサが備えられてもよい。プロセッサ８００の詳細構成は次のとおりである。
【００５０】
判断部８１０は、ユーザの位置情報を基準とし、ユーザによって指定された目的地に接近したかどうかを判断してもよい。このとき、判断部８１０は、モバイル機器によって位置基盤サービスを利用するユーザを対象に、ユーザの位置情報（すなわち、モバイル機器の現在位置）がマッピングされた地図画面を利用した経路案内時に、ユーザが目的地周辺に到着したか否かを判断してもよい。
【００５１】
処理部８２０は、目的地へ接近したときに、目的地についての視覚的認知機能を活性化してもよい。このとき、処理部８２０は、モバイル機器の現在位置周辺の映像情報（距離ビュー、写真など）と地図を利用した視覚的認知機能を利用してユーザが目的地を正確に認知できるように支援してもよい。特に、処理部８２０は、中間経由地について段階的に経路案内を完了する時点や最終の目的地に接近して経路案内を完了する時点で視覚的認知機能を活性化させてもよい。一例として、処理部８２０は、ユーザの現在位置周辺の実際の距離の様子を示す距離ビュー（屋内の場合は、屋内の実際の様子を示す屋内ビュー）画面を実行した後、距離ビュー（または屋内ビュー）画面上に目的地に該当するオブジェクトを強調して表示してもよい。このとき、処理部８２０は、ユーザの位置情報がマッピングされた地図画面を利用して目的地までの移動経路を案内した後、ユーザが目的地周辺に到着すると、距離ビュー画面によって色、図形、テキストなどを利用した視覚化方法によって目的地を強調し、周辺施設とは差別化された形態で示してもよい。例えば、処理部８２０は、距離ビュー上で周辺施設とは異なるように、目的地に該当するオブジェクトの境界を鮮明にボールド処理して表示したり、目的地に該当するオブジェクトを周辺施設とは差別された異なる色のカラーまたは異なる形態の図形で表示したり、目的地に該当するオブジェクトに指示手段を表示したり、目的地に該当するオブジェクトに目的地を説明する関連テキストと共に指示手段を表示したりするなどの方式により、該当の目的地についての視覚的認知機能を提供してもよい。他の例として、処理部８２０は、ユーザが目的地周辺に到着すると、目的地を拡大した写真を表示したり、目的地の実際の写真またはベクトルレンダリング方式によって実現された３Ｄ地図を表示したりする方式により、該当の目的地についての視覚的認知機能を提供してもよい。
【００５２】
したがって、上述した構成の目的地情報提供システムによると、位置基盤サービスで目的地周辺に到着したときに、ユーザに目的地を明確に認知させる機能を提供することができる。
【００５３】
上述した目的地情報提供システムは、図１ないし図７を参照しながら説明した目的地情報提供方法の詳細内容に基づき、構成要素の一部が省略されたりあるいは追加された構成要素がさらに含まれてもよい。また、２つ以上の構成要素が組み合わされてもよく、構成要素間の動作順や連携方式が変更されてもよい。
【００５４】
このように、本発明の実施形態によれば、位置基盤サービスで目的地周辺に到着したときに、目的地についての情報を活用してユーザに目的地を明確に認知させることにより、経路案内サービスの品質と満足度を向上させることができる。
【００５５】
上述した装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる他の装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよいことを理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００５６】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望のとおりに動作するように処理装置を構成したり、独立的または結合的に（ｃｏｌｌｅｃｔｉｖｅｌｙ）処理装置を命令したりしてもよい。ソフトウェアおよび／またはデータは、処理装置によって解釈されたり処理装置に命令またはデータを提供したりするために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ記録媒体または装置、または送信される信号波（ｓｉｇｎａｌ  ｗａｖｅ）に永久的または一時的に具体化（ｅｍｂｏｄｙ）されてもよい。ソフトウェアは、ネットワークによって接続されたコンピュータシステム上に分散し、分散した方法によって格納されたり実行されたりしてもよい。ソフトウェアおよびデータは、１つ以上のコンピュータで読み取り可能な記録媒体に格納されてもよい。
【００５７】
実施形態に係る方法は、多様なコンピュータ手段によって実行が可能なプログラム命令形態で実現されてコンピュータで読み取り可能な記録媒体に記録されてもよい。コンピュータで読み取り可能な記録媒体は、プログラム命令、データファイル、データ構造などを単独または組み合わせて含んでもよい。記録媒体に記録されるプログラム命令は、実施形態のために特別に設計されて構成されたものであってもよく、コンピュータソフトウェア当業者に公知な使用可能なものであってもよい。コンピュータで読み取り可能な記録媒体の例としては、ハードディスク、フロッピーディスク（登録商標）、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００５８】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００５９】
したがって、異なる実施形態であっても、特許請求の範囲と均等なものであれば、添付される特許請求の範囲に属する。
【符号の説明】
【００６０】
８１０：判断部
８２０：処理部
【図１】
2015068828.tif 000003
【図２】
2015068828.tif 000004
【図３】
2015068828.tif 000005
【図４】
2015068828.tif 000006
【図５】
2015068828.tif 000007
【図６】
2015068828.tif 000008
【図７】
2015068828.tif 000009
【図８】
2015068828.tif 000010